(57)【要約】【課題】前面扉を開放しても遊技領域から遊技球が落下しないパチンコ機を提供する。【解決手段】  前面扉の背後には遊技盤が配置されている。遊技盤には遊技球が打ち出される遊技領域が形成されており、前面扉を開放すると遊技領域が露呈され、球詰まりを解消するなどのメンテナンスを行うことができる。遊技盤は磁性板を備え、この磁性板には磁化制御部により駆動制御される電磁石が接続されている。磁化制御部は、前面扉が開放されると電磁石を作動させて磁性板を磁化し、遊技領域内の遊技球を磁性板に引きつける。これにより、前面扉を開放しても、遊技領域から遊技球が落下してしまうことがない。【選択図】図６
2010012095.tif 000002
【特許請求の範囲】
【請求項１】
透明窓を有し、開き位置と閉じ位置との間で開閉自在に保持される前面扉と、前記前面扉の背後に配置され、遊技球が打ち出される遊技領域が形成された遊技盤とを備え、前記前面扉を開き位置に移動したときに前記遊技領域が露呈され、前記前面扉を閉じ位置に移動したときに前記透明窓により前記遊技領域の前面が覆われるパチンコ機において、
前記遊技領域またはその近傍に配置され、磁化されたときに前記遊技領域内の遊技球を引きつけて前記遊技領域内に保持し、前記磁化の解除に伴って前記保持を解除する磁性体と、
前記前面扉が開き位置に移動された際に前記磁性体を磁化し、前記前面扉が閉じ位置に移動された際に前記磁化を解除する磁化制御手段とを備えたことを特徴とするパチンコ機。
【請求項２】
遊技球の打ち出し操作を行うための発射ハンドルを備え、
前記磁化制御手段は、前記発射ハンドルが操作されている場合、前記前面扉の位置によらず前記磁化を実行しない磁化禁止状態へと移行することを特徴とする請求項１記載のパチンコ機。
【請求項３】
前記前面扉を前記閉じ位置に係止する係止位置と前記係止を解除する解除位置との間で移動自在の係止部材、及び、前記係止部材を移動させるための鍵が差し込まれる鍵穴を有する施錠手段と、
前記鍵穴に前記鍵が差し込まれたことを検知する鍵検知手段とを備え、
前記磁化制御手段は、前記鍵穴に前記鍵が差し込まれていない場合、前記前面扉の位置によらず前記磁化を実行しない磁化禁止状態へと移行することを特徴とする請求項１または２記載のパチンコ機。
【請求項４】
前記前面扉を前記閉じ位置に係止する係止位置と前記係止を解除する解除位置との間で移動自在の係止部材、及び、前記係止部材を移動させるための鍵が差し込まれる鍵穴を有する施錠手段と、
前記鍵穴に差し込まれた前記鍵の操作態様を検知する操作態様検知手段とを備え、
前記磁化制御手段は、前記鍵穴に差し込まれた前記鍵が所定の操作態様で操作された場合、前記前面扉の位置によらず前記磁化を実行しない磁化禁止状態へと移行することを特徴とする請求項１〜３いずれか記載のパチンコ機。
【発明の詳細な説明】
【技術分野】
【０００１】
本発明は、パチンコ店などの遊技場で用いられるパチンコ機に関するものである。
【背景技術】
【０００２】
パチンコ機では、発射ハンドルを操作すると、遊技盤上に形成された遊技領域に遊技球が打ち出される。遊技盤の前方には、開閉自在の前面扉が設けられている。一般に、前面扉は、施錠された状態で閉じ位置に係止されており、パチンコ店の店員などが鍵を用いて解錠することによって開き位置に移動させることができる。
【０００３】
前面扉が閉じ位置に係止された状態では、前面扉に組み込まれたガラス窓（透明窓）によって遊技領域の前方が覆われる。これにより、打ち出された遊技球が前方へ落下することなく遊技領域内を流下する。他方、前面扉を開き位置に移動させると、遊技領域が露呈される。これにより、球詰まりを解消するなどのメンテナンスを行うことができる。
【０００４】
また、下記特許文献１に記載されているように、パチンコ機の中には、パチンコ機本体から払い出された遊技球（賞球）を受けるための受け皿が取り付けられた前板を開閉自在に構成したものもある。このパチンコ機では、落下防止片を設けることによって、前板を開放した際に受け皿に貯留された遊技球がこぼれ落ちないようにしている。
【特許文献１】特開平０９−２３９１２３
【発明の開示】
【発明が解決しようとする課題】
【０００５】
しかしながら、従来のパチンコ機は、球詰まりを解消するために前面扉を開放した際に、遊技球が遊技領域から落下してしまうといった問題があった。そして、この問題は、上記特許文献１に記載された手法では解決できない。すなわち、前面扉の開放時に遊技領域から遊技球が落下することを防止するためには、遊技領域の前面を覆うように落下防止片を設ける必要がある。しかし、遊技領域の一部を覆うように落下防止片を設けても、他の部分から遊技球が落下してしまう。また、遊技領域の全部を覆うように落下防止片を設けると前面扉を開放しても遊技領域のメンテナンスを行うことができなくなってしまうので現実的ではない。
【０００６】
本発明は、上記背景を鑑みてなされたものであり、前面扉を開放しても遊技球が落下することのないパチンコ機を提供することを目的としている。
【課題を解決するための手段】
【０００７】
上記目的を達成するために、本発明の遊技機は、透明窓を有し、開き位置と閉じ位置との間で開閉自在に保持される前面扉と、前記前面扉の背後に配置され、遊技球が打ち出される遊技領域が形成された遊技盤とを備え、前記前面扉を開き位置に移動したときに前記遊技領域が露呈され、前記前面扉を閉じ位置に移動したときに前記透明窓により前記遊技領域の前面が覆われるパチンコ機において、前記遊技領域またはその近傍に配置され、磁化されたときに前記遊技領域内の遊技球を引きつけて前記遊技領域内に保持し、前記磁化の解除に伴って前記保持を解除する磁性体と、前記前面扉が開き位置に移動された際に前記磁性体を磁化し、前記前面扉が閉じ位置に移動された際に前記磁化を解除する磁化制御手段とを備えたことを特徴としている。
【０００８】
遊技球の打ち出し操作を行うための発射ハンドルを備え、前記磁化制御手段は、前記発射ハンドルが操作されている場合、前記前面扉の位置によらず前記磁化を実行しない磁化禁止状態へと移行するものでもよい。
【０００９】
前記前面扉を前記閉じ位置に係止する係止位置と前記係止を解除する解除位置との間で移動自在の係止部材、及び、前記係止部材を移動させるための鍵が差し込まれる鍵穴を有する施錠手段と、前記鍵穴に前記鍵が差し込まれたことを検知する鍵検知手段とを備え、前記磁化制御手段は、前記鍵穴に前記鍵が差し込まれていない場合、前記前面扉の位置によらず前記磁化を実行しない磁化禁止状態へと移行するものでもよい。
【００１０】
前記前面扉を前記閉じ位置に係止する係止位置と前記係止を解除する解除位置との間で移動自在の係止部材、及び、前記係止部材を移動させるための鍵が差し込まれる鍵穴を有する施錠手段と、前記鍵穴に差し込まれた前記鍵の操作態様を検知する操作態様検知手段とを備え、前記磁化制御手段は、前記鍵穴に差し込まれた前記鍵が所定の操作態様で操作された場合、前記前面扉の位置によらず前記磁化を実行しない磁化禁止状態へと移行するものでもよい。
【発明の効果】
【００１１】
本発明によれば、前面扉を開放したときに磁性体を磁化して遊技領域内に遊技球を引きつけるようにしたので、前面扉を開放しても遊技球が落下してしまうことがない。
【００１２】
また、発射ハンドルが操作されているときや、前面扉を開放するための鍵が差し込まれていないときや、前面扉を開放するための鍵が所定の操作態様で操作されたときに磁化を行わないようにすることで、前面扉が開放したことを検知するセンサを、遊技中に不正な方法で誤作動させるなどして、自分に有利となるように磁化を行わせるといった不正行為を防止できる。さらに、このように前面扉を開放しても磁化を実行しない場合を設けることで、球詰まりを解消する際は磁化を実行させ、球詰まり以外のメンテナンス時には磁化を実行させないようにするといったことができるので便利である。
【発明を実施するための最良の形態】
【００１３】
図１、図２に示すように、パチンコ機１０は、本体１２の前面に前面扉１４が設けられている。前面扉１４は、本体１２の前面に軸着され、図１に示す閉じ位置と図２に示す開き位置との間で開閉自在に保持されている。
【００１４】
前面扉１４には、前面扉１４が開放されたことを検知するための開放検知センサ１６が設けられている。開放検知センサ１６は、押圧検知式のプッシュスイッチからなり、前面扉１４に固定されたセンサ本体１６ａと、センサ本体１６ａから前面扉１４の背面側へ向けて突出した検知部１６ｂとを備えている。そして、開放検知センサ１６は、前面扉１４が閉じ位置に移動されると、検知部１６ｂがセンサ本体１６ａへ向けて押し込まれてオフとなり、前面扉１４が閉じ位置から開き位置へ向けて移動されると、検知部１６ｂがセンサ本体１６ａから遠ざかってオンとなる。
【００１５】
本体１２には、ロック機構１８が設けられている。ロック機構１８は、前面扉１４を閉じ位置に係止する係止位置と、この係止を解除する係止解除位置との間で移動自在の係止爪１８ａを備えており、前面扉１４を閉じ位置に移動させると係止爪１８ａが係止位置に移動し、前面扉１４が閉じ位置に係止される。また、ロック機構１８には、係止爪１８ａを係止解除位置へ移動させるための鍵（図示せず）が差し込まれる鍵穴１８ｂが設けられている。鍵穴１８ｂは、前面扉１４を閉じ位置に移動させると前面扉１４に形成された開口１４ａから露呈するようになっており、この開口１４ａを介して鍵穴１８ｂに鍵を差し込んで回動することで、係止爪１８ａを係止解除位置へ移動させ、前面扉１４を開き位置に移動させることができる。
【００１６】
前面扉１４の背後には、遊技盤２０が配置されている。遊技盤２０には、遊技球が打ち出される遊技領域２０ａが形成されている。前面扉１４には、ガラス窓（透明窓）２２が形成されており、前面扉１４が閉じ位置に移動された状態では、このガラス窓２２を介して遊技領域２０ａを視認できるようになっている。また、前面扉１４が閉じ位置に移動されると、ガラス窓２２によって遊技領域２０ａの前面側が覆われ、遊技領域２０ａ内の遊技球が前方に落下しないようになっている。他方、前面扉１４が開き位置に移動されると、遊技領域２０ａが露呈される。これにより、球詰まりを解消したり、釘調整を行うなど、遊技領域２０ａ内のメンテナンスを行うことができる。
【００１７】
前面扉１４の下方には、遊技球を発射する際に回動操作される発射ハンドル２４や、賞球が払い出される受け皿２６が設けられている。パチンコ機１０では、発射ハンドル２４が操作されると、パチンコ機１０の内部に設けられた発射装置が駆動され、発射装置から遊技球が発射される。発射装置から発射されたパチンコ球は、一対のガイドレール２８ａ、２８ｂの間を通って遊技領域２０ａの上部に打ち出される。この後、遊技球は、遊技領域２０ａを下方へ向けて流下する。
【００１８】
遊技領域２０ａには、流下する遊技球の動きに変化を与えるための遊技釘３０、通常入賞口を有する入賞装置３２、始動入賞口を有する入賞装置３４、液晶ディスプレイ３６が組み込まれたセンター役物３８、大入賞口４０を開閉するアタッカ４２などが設けられている。
【００１９】
そして、遊技領域２０ａに打ち出された遊技球が通常入賞口、または、始動入賞口に入賞すると、予め設定された個数の遊技球が賞球として払い出される。また、遊技球が始動入賞口に入賞すると、当たりまたはハズレを決定する当たり抽選が行われる。当たり抽選の結果は液晶ディスプレイ３６に表示される。当たり抽選に当選すると当たりモードへ移行する。当たりモードでは、アタッカ４２が開放され、大入賞口４０へ遊技球を入賞させることが可能となり、大量の賞球を得ることができる。
【００２０】
図３に示すように、遊技盤２０の前面には、レール枠４４が取り付けられている。レール枠４４は、前述したガイドレール２８ａ、２８ｂの他、略円形のステンレス枠４４ａを備えている。そして、このステンレス枠４４ａの内側が遊技領域２０ａとなっており、ここに、遊技釘３０、入賞装置３２、３４、センター役物３８、アタッカ４２などが取り付けられている。
【００２１】
図４に示すように、遊技盤２０は、ベース板５０、磁性板（磁性体）５２、デザインシート５４、電磁石５６から構成される。ベース板５０は、例えば、ベニヤ板から形成される。磁性板５２は、磁性材料（例えば、鉄）から形成されている。デザインシート５４は、例えば、プラスチックなどから形成されたシートに、パチンコ機の機種に対応したデザインの画像などがプリントされたものであり、磁性板５２の前面に貼り付けられている。
【００２２】
電磁石５６は、周知のように、内蔵されたコイルに通電されたときに磁界を形成するものであり、ベース板５０に固定されている。電磁石５６は、通電時（作動時）に磁極となる先端部分５６ａがベース板５０に形成された開口５０ａから露呈されており、先端部分５６ａを磁性板５２の背面に当接させた状態で保持されている。これにより、電磁石５６を作動させると、磁性板５２が磁石として機能し、電磁石５６の作動を停止させると、磁性板５２の磁石としての機能が解除される。
【００２３】
図５に示すように、パチンコ機１０の内部には、電磁石５６を駆動制御する磁化制御部（磁化制御手段）６０が設けられており、この磁化制御部６０には、前述した開放検知センサ１６が接続されている。そして、磁化制御部６０は、図６に示すように、開放検知センサ１６がオンとなると、すなわち、前面扉１４が開放されると、電磁石５６を作動させて磁性板５２を磁化する。また、磁化制御部６０は、開放検知センサ１６がオフとなると、すなわち、前面扉１４が閉じ位置に移動されると、電磁石５６の作動を停止して磁性板５２の磁化を解除する。
【００２４】
以下、上記構成による本発明の作用について説明する。パチンコ機１０では、開口１４ａを介して鍵穴１８ｂに鍵を差し込み、この鍵を回動させることで前面扉１４を開放できる。前面扉１４を開放すると、遊技領域２０ａが露呈され、球詰まりを解消するなどのメンテナンスを行うことができる。また、前面扉１４を開放すると、磁性板５２が磁化され、遊技領域２０ａ内の遊技球が磁性板５２に引きつけられて、遊技領域２０ａ内に保持される。これにより、前面扉１４を開放しても、遊技球が遊技領域２０ａから落下してしまうといったことがなく便利である。
【００２５】
なお、上記実施形態では、前面扉が開放された際に磁性板を磁化する例で説明をしたが、この機能が悪用され、例えば、前面扉を僅かに開放させたり、開放検知センサを誤作動させることによって、遊技中（遊技領域に遊技球を打ち出しているとき）に磁性板を磁化したり磁化を解除することによって、自分に有利となるように遊技を進めるといった不正行為が行われてしまうといった恐れがある。このため、例えば、発射ハンドルが操作されていない状態で前面扉が開放された場合にのみ磁性板を磁化するようにしてもよい。
【００２６】
この場合、図７に示すように、発射ハンドルが操作されていないときは、磁性板の磁化を許容する磁化許容状態へ移行し、発射ハンドルが操作されているときは、磁性板の磁化を禁止する（磁性板の磁化を行わない）磁化禁止状態へと移行するように磁化制御部を構成する。そして、図８に示すように、前面扉が開放され、かつ、磁化許容状態である場合にのみ磁性板を磁化すればよい。こうすることで、上述した不正行為を防止できる。
【００２７】
また、上述した不正行為を防止するために、鍵穴に鍵が差し込まれた状態で前面扉が開放された場合にのみ磁性板を磁化するようにしてもよい。この場合、鍵穴に鍵が差し込まれているか否かを検知する鍵検知センサを設ける。そして、図９に示すように、鍵穴に鍵が差し込まれているときは、磁化許容状態へ移行し、鍵穴に鍵が差し込まれていないときは、磁化禁止状態へ移行するように磁化制御部を構成する。そして、前面扉が開放され、かつ、磁化許容状態である場合にのみ磁性板を磁化すればよい（図８参照）。
【００２８】
さらに、メンテナンスの内容によっては、磁性板が磁化されていない方が作業の能率が良い場合も考えられる。このため、例えば、複数のパチンコ機が接続されたホールコンピュータからの操作によって、磁化許容状態と磁化禁止状態とを切り替えられるようにしたり、パチンコ機の本体に切り替えスイッチを設け、この切り替えスイッチを操作することで、磁化許容状態と磁化禁止状態とを切り替えられるようにしてもよい。
【００２９】
また、鍵穴に差し込まれた鍵の操作態様に応じて磁化許容状態と磁化禁止状態とを切り替えられるようにしてもよい。この場合、例えば、鍵穴に差し込んだ鍵を時計回りと反時計回りに回動でき、かつ、時計回りと反時計回りとのいずれか一方向に鍵を回動させることで前面扉の係止が解除されるようにロック機構を構成する。また、鍵が他方向に回動されたことを検知する検知センサを設ける。そして、鍵穴に差し込まれた鍵が他方向に回動される毎に、磁化許容状態と磁化禁止状態とが切り替えられるようにするといったことが考えられる。
【００３０】
もちろん、鍵の操作態様により、磁化許容状態と磁化禁止状態とを切り替える構成は上記例に限定されるものではない。例えば、鍵穴に差し込まれた鍵を所定方向に所定回数（例えば、時計方向に２回）回動させることで磁化許容状態へ移行し、鍵穴に差し込まれた鍵を所定方向に所定回数（例えば、時計方向に３回）回動させることで磁化禁止状態へ移行するようにしてもよい。また、鍵を所定方向に所定量（例えば、時計方向に４５°）回動したときに前面扉の係止が解除されるとともに、鍵が所定方向に所定量（例えば、時計方向に９０°）回動されている間、磁化許容状態が維持されるようにしてもよい。
【００３１】
さらに、１つの条件に基づいて、磁化許容状態と磁化解除状態とを切り替える例に限定されず、例えば、発射ハンドルが操作されておらず、かつ、鍵穴に鍵が差し込まれている状態である間は磁化許容状態が維持され、これ以外のときは磁化禁止状態に移行するといったように、複数の条件に基づいて、磁化許容状態と磁化禁止状態とを切り替えてもよい。もちろん、複数の条件の組合せはこれに限定されず、自由に設定できる。
【００３２】
また、上記実施形態では、遊技領域全体をカバーする大きさ及び形状の磁性板を設ける例で説明したが、本発明はこれに限定されるものではない。磁性板の大きさや形状はこれ限定されず自由に設定できるので、遊技領域の一部（例えば、球詰まりが発生し易い領域）をカバーするように、磁性板の大きさや形状を決定してもよい。
【００３３】
さらに、上記実施形態では、磁性板を磁化する例で説明をしたが、本発明はこれに限定されるものではない。例えば、遊技釘や入賞装置、役物などの少なくとも一部を磁性体から形成し、これを磁化してもよい。もちろん、磁性板、遊技釘、入賞装置、役物などのうちの１つまたは全部を磁化してもよいし、これらのうち複数の組合せを磁化してもよい。
【図面の簡単な説明】
【００３４】
【図１】前面扉を閉じた状態を示すパチンコ機の斜視図である。
【図２】前面扉を開放した状態を示すパチンコ機の斜視図である。
【図３】遊技盤に各種部品が取り付けられていることを示す説明図である。
【図４】遊技盤の分解図である。
【図５】磁性板を磁化または磁化を解除する機構の構成を示すブロック図である。
【図６】磁性板が磁化または磁化が解除される流れをしめすフローチャートである。
【図７】磁化許容状態と磁化禁止状態とが切り替えられる流れを示すフローチャートである。
【図８】磁性板が磁化または磁化が解除される流れをしめすフローチャートである。
【図９】磁化許容状態と磁化禁止状態とが切り替えられる流れを示すフローチャートである。
【符号の説明】
【００３５】
１０  パチンコ機
１２  本体
１４  前面扉
１６  開放検知センサ
１８  ロック機構
１８ｂ  鍵穴
２０  遊技盤
２０ａ  遊技領域
２２  ガラス窓（透明窓）
２４  発射ハンドル
３０  遊技釘
３２、３４  入賞装置
３８  センター役物
５２  磁性板（磁性体）
５６  電磁石
６０  磁化制御部（磁化制御手段）
【図１】
2010012095.tif 000003
【図２】
2010012095.tif 000004
【図３】
2010012095.tif 000005
【図４】
2010012095.tif 000006
【図５】
2010012095.tif 000007
【図６】
2010012095.tif 000008
【図７】
2010012095.tif 000009
【図８】
2010012095.tif 000010
【図９】
2010012095.tif 000011